(57)【要約】【課題】測定報告（ＭＲ）を基地局に送信するか否かを端末が判定するための判定条件に関するパラメータを、ハンドオーバ性能以外を向上させる目的で調整した場合でも、ハンドオーバ性能を低下させないようにすることができるパラメータ調整装置、及びパラメータ調整プログラムを提供する。【解決手段】パラメータ調整装置は、基地局１００−１に測定報告を送信するか否かを端末が判定するためのパラメータ値を、基地局間のハンドオーバの指標に基づいて、基地局間のハンドオーバのヒステリシス値が所定値以上となるように算出するパラメータ算出部１４０を備える。【選択図】図１
2014007593.tif 000002
【特許請求の範囲】
【請求項１】
基地局に測定報告を送信するか否かを端末が判定するためのパラメータ値を、基地局間のハンドオーバの指標に基づいて、前記基地局間のハンドオーバのヒステリシス値が所定値以上となるように算出するパラメータ算出部
を備えることを特徴とするパラメータ調整装置。
【請求項２】
前記ハンドオーバの指標としてのピンポン・ハンドオーバの発生率又はハンドオーバの失敗率を算出する失敗算出部
を備え、
前記パラメータ算出部は、前記ピンポン・ハンドオーバの発生率又は前記ハンドオーバの失敗率が閾値以上である場合、前記ピンポン・ハンドオーバの発生率又は前記ハンドオーバの失敗率が前記閾値未満となるように、前記パラメータ値を算出することを特徴とする請求項１に記載のパラメータ調整装置。
【請求項３】
前記パラメータ算出部は、自基地局から他の基地局へのハンドオーバのタイミングと、前記他の基地局から自基地局へのハンドオーバのタイミングとのうち少なくとも一方を、前記パラメータ値を算出することにより調整することを特徴とする請求項１又は請求項２に記載のパラメータ調整装置。
【請求項４】
前記パラメータ算出部は、前記パラメータ値を算出する指示を受信した場合、前記パラメータ値を算出することを特徴とする請求項１から請求項３のいずれか一項に記載のパラメータ調整装置。
【請求項５】
前記パラメータ算出部は、前記ハンドオーバの指標により定まる順に、前記指示を受信することを特徴とする請求項４に記載のパラメータ調整装置。
【請求項６】
自基地局による受信電力又は受信品質と、他の基地局による受信電力又は受信品質との差に基づいて、基地局間のハンドオーバのマージン値を算出するマージン算出部
を備え、
前記パラメータ算出部は、前記マージン値により定まる前記ヒステリシス値が前記所定値以上となるように、前記パラメータ値を算出することを特徴とする請求項１から請求項５のいずれか一項に記載のパラメータ調整装置。
【請求項７】
コンピュータに、
基地局に測定報告を送信するか否かを端末が判定するためのパラメータ値を、基地局間のハンドオーバの指標に基づいて、前記基地局間のハンドオーバのヒステリシス値が所定値以上となるように算出する手順
を実行させるためのパラメータ調整プログラム。
【発明の詳細な説明】
【技術分野】
【０００１】
本発明は、無線通信における、パラメータ調整装置、及びパラメータ調整プログラムに関する。
【背景技術】
【０００２】
ＬＴＥ（Ｌｏｎｇ Ｔｅｒｍ Ｅｖｏｌｕｔｉｏｎ）などの無線通信において、接続先の基地局を端末が切り替えるためのアクティブ・ハンドオーバ（Ａｃｔｉｖｅ  ＨＯ)処理は、端末から基地局に送信される測定報告(Ｍｅａｓｕｒｅｍｅｎｔ Ｒｅｐｏｒｔ: ＭＲ)に基づいて、基地局により制御される。ここで、基地局にＭＲを送信するか否かを端末が判定するための判定条件（以下、「ＭＲ送信条件」という）は、基地局が端末に指定する。基地局は、ＭＲ送信条件を定めるためのパラメータを調整することで、アクティブ・ハンドオーバ処理を制御することができる（非特許文献１〜４を参照）。
【先行技術文献】
【非特許文献】
【０００３】
【非特許文献１】3GPP, TS 36.331, v9.3.0, 2010-06
【非特許文献２】3GPP, TS 36.304, v9.2.0, 2010-03
【非特許文献３】3GPP, TS 23.203, v9.9.0, 2011-06
【非特許文献４】3GPP, TS 36.300, v10.6.0, 2011-12
【発明の概要】
【発明が解決しようとする課題】
【０００４】
しかしながら、ＭＲ送信条件を定めるためのパラメータは、ハンドオーバ性能の指標（例えば、ピンポン・ハンドオーバ発生率、ハンドオーバ失敗率）のみならず、ハンドオーバ性能以外の指標（例えば、無線リソース使用率）など、複数の指標と密接に関係するパラメータである。このため、ＭＲ送信条件を定めるためのパラメータは、ハンドオーバ性能以外を向上させる目的のために調整された場合、この調整に伴って、ハンドオーバ性能が低下してしまうことがあるという問題がある。
【０００５】
本発明は、前記の点に鑑みてなされたものであり、ＭＲ送信条件を定めるためのパラメータを、ハンドオーバ性能以外を向上させる目的で調整した場合でも、ハンドオーバ性能を低下させないようにすることができるパラメータ調整装置、及びパラメータ調整プログラムを提供することを目的とする。
【課題を解決するための手段】
【０００６】
本発明は、上記の課題を解決するためになされたものであり、基地局に測定報告を送信するか否かを端末が判定するためのパラメータ値を、基地局間のハンドオーバの指標に基づいて、前記基地局間のハンドオーバのヒステリシス値が所定値以上となるように算出するパラメータ算出部を備えることを特徴とするパラメータ調整装置である。
【０００７】
また、本発明は、前記ハンドオーバの指標としてのピンポン・ハンドオーバの発生率又はハンドオーバの失敗率を算出する失敗算出部を備え、前記パラメータ算出部が、前記ピンポン・ハンドオーバの発生率又は前記ハンドオーバの失敗率が閾値以上である場合、前記ピンポン・ハンドオーバの発生率又は前記ハンドオーバの失敗率が前記閾値未満となるように、前記パラメータ値を算出することを特徴とするパラメータ調整装置である。
【０００８】
また、本発明は、前記パラメータ算出部が、自基地局から他の基地局へのハンドオーバのタイミングと、前記他の基地局から自基地局へのハンドオーバのタイミングとのうち少なくとも一方を、前記パラメータ値を算出することにより調整することを特徴とするパラメータ調整装置である。
【０００９】
また、本発明は、前記パラメータ算出部が、前記パラメータ値を算出する指示を受信した場合、前記パラメータ値を算出することを特徴とするパラメータ調整装置である。
【００１０】
また、本発明は、前記パラメータ算出部が、前記ハンドオーバの指標により定まる順に、前記指示を受信することを特徴とするパラメータ調整装置である。
【００１１】
また、本発明は、自基地局による受信電力又は受信品質と、他の基地局による受信電力又は受信品質との差に基づいて、基地局間のハンドオーバのマージン値を算出するマージン算出部を備え、前記パラメータ算出部が、前記マージン値により定まる前記ヒステリシス値が前記所定値以上となるように、前記パラメータ値を算出することを特徴とするパラメータ調整装置である。
【００１２】
また、本発明は、コンピュータに、基地局に測定報告を送信するか否かを端末が判定するためのパラメータ値を、基地局間のハンドオーバの指標に基づいて、前記基地局間のハンドオーバのヒステリシス値が所定値以上となるように算出する手順を実行させるためのパラメータ調整プログラムである。
【発明の効果】
【００１３】
本発明によれば、パラメータ算出部は、基地局に測定報告を送信するか否かを端末が判定するためのパラメータ値を、基地局間のハンドオーバの指標に基づいて、基地局間のハンドオーバのヒステリシス値が所定値以上となるように算出する。これにより、パラメータ調整装置は、ＭＲ送信条件を定めるためのパラメータを、ハンドオーバ性能以外を向上させる目的で調整した場合でも、ハンドオーバ性能を低下させないようにすることができる。
【図面の簡単な説明】
【００１４】
【図１】本発明の一実施形態における、基地局群及び上位装置の構成例を示すブロック図である。
【図２】本発明の一実施形態における、無線通信システムの動作手順の例を示すフローチャートである。
【図３】本発明の一実施形態における、ＨＯマージン値の調整方法３の動作手順を示すフローチャートである。
【図４】本発明の一実施形態における、基地局のエリアを拡大又は縮小させるための方法を、ＨＯ用ＭＲ毎に示す表である。
【図５】本発明の一実施形態における、パラメータ算出部が基地局のエリアを拡大又は縮小させる動作手順の例を示すフローチャートである。
【発明を実施するための形態】
【００１５】
本発明の一実施形態について図面を参照して詳細に説明する。
まず、ＭＲ送信条件を定めるためのパラメータについて説明する。以下、ＭＲ送信条件を定めるためのパラメータを、「ＨＯパラメータ」という。
【００１６】
基地局は、ＭＲを受信した場合、そのＭＲを送信した端末に対してアクティブ・ハンドオーバ処理を実行するか否かを、受信したＭＲに基づいて判定する。ここで、ＭＲには、現に接続している基地局（以下、「現接続基地局」という）から送信された参照信号を受信した端末における受信電力(Ｒｅｆｅｒｅｎｃｅ  Ｓｉｇｎａｌ  Ｒｅｃｅｉｖｅｄ Ｐｏｗｅｒ: ＲＳＲＰ)及び受信品質(Ｒｅｆｅｒｅｎｃｅ Ｓｉｇｎａｌ Ｒｅｃｅｉｖｅｄ Ｑｕａｌｉｔｙ: ＲＳＲＱ) のうち、少なくとも一方が含まれている。さらに、ＭＲには、隣接している基地局（以下、「隣接基地局」という）から送信された参照信号を受信した端末における受信電力（ＲＳＲＰ）及び受信品質（ＲＳＲＱ）のうち、少なくとも一方が含まれている。
【００１７】
ＭＲは、送信条件（送信契機）に応じて、複数の種類が定められている。アクティブ・ハンドオーバ処理のためのＭＲ（以下、「ＨＯ用ＭＲ」という）としては、「Ａ３ＭＲ」、「Ａ４ＭＲ」及び「Ａ５ＭＲ」が定められている。
【００１８】
Ａ３ＭＲは、隣接基地局に関する受信電力(受信品質)の評価値と、現接続基地局に関する受信電力(受信品質)の評価値との差が、閾値を超えた場合に通知されるＭＲである。現接続基地局ｉに接続している端末ｋが、隣接基地局ｊに関するＡ３ＭＲを通知するか否かを判定するための受信電力(受信品質)の評価式は、式（１）により示される。式（１）が一定時間に亘り満たされた場合、端末は、Ａ３ＭＲを送信する。
【００１９】
Ｍ(ｊ，ｋ) −Ｍ(ｉ，ｋ) ＞ＨＯＭ(ｉ，ｊ)    …（１）
【００２０】
ここで、Ｍ(ｊ，ｋ)は、端末ｋにおける、隣接基地局ｊに関する受信電力(受信品質)の評価値を示す。また、Ｍ(ｉ，ｋ)は、端末ｋにおける、現接続基地局ｉに関する受信電力(受信品質)の評価値を示す。また、ＨＯＭ(ｉ，ｊ)は、基地局ペア（現接続基地局ｉ及び隣接基地局ｊ）毎の電力オフセットパラメータ（以下、「ＨＯマージン値」という）であり、現接続基地局ｉ及び隣接基地局ｊについて予め定められた第１電力閾値を示す。
【００２１】
Ａ４ＭＲは、隣接基地局に関する受信電力(受信品質)の評価値が、閾値ＴｈＡ４を超えた場合に通知されるＭＲである。現接続基地局ｉに接続している端末ｋが、隣接基地局ｊに関するＡ４ＭＲを通知するか否かを判定するための受信電力(受信品質)の評価式は、式（２）により示される。式（２）が一定時間に亘り満たされた場合、端末は、Ａ４ＭＲを送信する。
【００２２】
Ｍ(ｊ，ｋ) ＞ＴｈＡ４(ｉ，ｊ)   …（２）
【００２３】
ここで、Ｍ(ｊ，ｋ) は、端末ｋにおける、隣接基地局jに関する受信電力(受信品質)の評価値を示す。また、ＴｈＡ４(ｉ，ｊ)は、現接続基地局ｉ及び隣接基地局ｊについて予め定められた第２電力閾値を示す。
【００２４】
Ａ５ＭＲは、現接続基地局に関する受信電力(受信品質)の評価値が閾値ＴｈＡ５＿１未満であり、且つ、隣接基地局に関する受信電力(受信品質)の評価値が閾値ＴｈＡ５＿２を超える場合に通知されるＭＲである。現接続基地局ｉに接続している端末ｋが、隣接基地局ｊに関するＡ５ＭＲを通知するための受信電力(受信品質)の評価式は、式（３）及び式（４）により示される。式（３）及び式（４）が一定時間に亘り満たされた場合、端末は、Ａ５ＭＲを送信する。
【００２５】
Ｍ(ｉ，ｋ) ＜ＴｈＡ５＿１(ｉ，ｊ)    …（３）
Ｍ(ｊ，ｋ) ＞ＴｈＡ５＿２(ｉ，ｊ)    …（４）
【００２６】
ここで、Ｍ(ｉ，ｋ) は、端末ｋにおける、現接続基地局ｉに関する受信電力(受信品質)の評価値を示す。また、Ｍ(ｊ，ｋ) は、端末ｋにおける、隣接基地局ｊに関する受信電力(受信品質)の評価値を示す。また、ＴｈＡ５＿１(ｉ，ｊ)は、現接続基地局ｉ及び隣接基地局ｊについて予め定められた第３電力閾値を示す。また、ＴｈＡ５＿２(ｉ，ｊ) は、現接続基地局ｉ及び隣接基地局ｊについて予め定められた第４電力閾値を示す。
【００２７】
次に、基地局間のハンドオーバ（ＨＯ）境界のずれ（ヒステリシス）を、受信電力(受信品質)に基づいて評価した値（以下、「ＨＯヒステリシス値」という）について説明する。
【００２８】
基地局ｓ（ｓ＝１〜Ｓのいずれか）と基地局ｎ（ｎ＝１〜Ｓのｓを除くいずれか）との間におけるＨＯヒステリシス値（ＨＯｈｙｓ(ｓ，ｎ)）は、式（５）により示される。
【００２９】
ＨＯｈｙｓ（ｓ，ｎ）＝ＨＯＭ（ｓ，ｎ）＋ＨＯＭ（ｎ，ｓ）    …（５）
【００３０】
ピンポン・ハンドオーバ（Ｐｉｎｇ‐Ｐｏｎｇ ＨＯ）の発生は、基地局ｓと基地局ｎとの間におけるＨＯヒステリシス値（＝ＨＯｈｙｓ（ｓ，ｎ））が大きいほど抑止される。
【００３１】
Ａ３ＭＲ、Ａ４ＭＲ、又はＡ５ＭＲが通知された場合、基地局ｓは、アクティブ・ハンドオーバ処理を実行する。Ａ３ＭＲの通知条件は、ＨＯマージン値が調整されることにより変更される。また、Ａ４ＭＲの通知条件は、電力閾値ＴｈＡ４が調整されることで、基地局ｎとのＨＯマージン値が調整されることにより変更される。また、Ａ５ＭＲの通知条件は、電力閾値ＴｈＡ５＿１及び電力閾値ＴｈＡ５＿２の少なくとも一方が調整されることで、基地局ｎとのＨＯマージン値が調整されることにより変更される。
【００３２】
次に、ハンドオーバ（ＨＯ）の失敗検知について説明する。
基地局１００−１は、ハンドオーバに起因して発生したイベント、すなわち、ハンドオーバの成功又は失敗を、要因別に検知して集計することができる（非特許文献４を参照）。
【００３３】
l要因１：ハンドオーバ成功
ハンドオーバ先の基地局に端末が正常に接続完了したことを示す通知情報。
【００３４】
l要因２：Ｔｏｏ Ｌａｔｅ ＨＯ
端末が隣接基地局（ハンドオーバ先の基地局）に正常に接続完了するまでに、当該端末において無線リンク断(Ｒａｄｉｏ Ｌｉｎｋ Ｆａｉｌｕｒｅ: ＲＬＦ）が発生し、その無線リンク断の後、当該隣接基地局（ハンドオーバ先の基地局）に当該端末が接続したことを示す通知情報。
【００３５】
l要因３：Ｔｏｏ Ｅａｒｌｙ ＨＯ
ＨＯ用ＭＲ、すなわち、Ａ３ＭＲ、Ａ４ＭＲ又はＡ５ＭＲを、端末が現接続基地局に送信し、ハンドオーバ処理が開始された後に、端末において無線リンク断が発生し、その無線リンク断の後、現接続基地局に端末が再び接続したことを示す通知情報。
【００３６】
l要因４：ＨＯ ｔｏ Ｗｒｏｎｇ Ｃｅｌｌ
ＨＯ用ＭＲ、すなわち、Ａ３ＭＲ、Ａ４ＭＲ又はＡ５ＭＲを、端末が現接続基地局に送信し、ハンドオーバ処理が開始された後に、端末において無線リンク断が発生し、その無線リンク断の後、当該現接続基地局及び隣接基地局（ハンドオーバ先の基地局）のいずれでもない基地局に、端末が接続したことを示す通知情報。
【００３７】
l要因５：ピンポン・ハンドオーバ（Ｐｉｎｇ‐Ｐｏｎｇ ＨＯ）
現接続基地局から隣接基地局（ハンドオーバ先の基地局）へのハンドオーバ処理が端末に対して実行された後、一定時間（例えば、1［秒］)以内に、当該隣接基地局から当該現接続基地局へのハンドオーバ処理が実行されたことを示す通知情報。
【００３８】
次に、無線通信システムの構成例を説明する。
図１には、基地局群及び上位装置の構成例が、ブロック図により示されている。以下では、無線通信システムは、一例として、ＬＴＥ規格に準拠した無線通信を実行するものとして説明を続ける。無線通信システムは、基地局１００−１〜基地局１００−Ｓ（Ｓは、２以上の整数）と、上位装置２００とを備える。端末（不図示）は、現接続基地局（例えば、基地局１００−ｓ）から隣接基地局（例えば、基地局１００−ｎ）に、ハンドオーバすることができる。以下では、基地局１００−１〜基地局１００−Ｓの構成については、それぞれ同構成を有するものとして、基地局１００−１についてのみ説明する。
【００３９】
基地局１００−１は、マージン算出部１１０と、失敗算出部１２０と、ヒステリシス算出部１３０と、パラメータ算出部１４０（パラメータ調整装置）と、設定部１５０とを備える。また、上位装置２００は、マージン集計部２１０と、失敗集計部２２０と、トリガ部２３０と、パラメータ集計部２４０とを備える。
【００４０】
マージン算出部１１０には、現接続基地局としての自基地局に関する受信電力(受信品質)の評価値と、隣接基地局に関する受信電力(受信品質)の評価値とが、ＨＯ用ＭＲを受信する毎に、端末（不図示）から入力される。マージン算出部１１０は、自基地局に関する受信電力(受信品質)の評価値と、隣接基地局に関する受信電力(受信品質)の評価値とに基づいて、ＨＯ用ＭＲを受信する毎に、ＨＯマージン（ＨＯＭ）値を算出する。また、マージン算出部１１０は、自基地局のＨＯマージン値を示す情報を、ヒステリシス算出部１３０及びマージン集計部２１０に出力する。
【００４１】
具体的には、マージン算出部１１０は、ＨＯ用ＭＲに含まれる受信電力情報に基づいて、現接続基地局としての自基地局による受信電力(受信品質)と、隣接基地局による受信電力(受信品質)との差、すなわち、ＨＯマージン値ＨＯＭを算出する（例えば、式（１）を参照）。
【００４２】
マージン算出部１１０は、自基地局ｓにおける隣接基地局ｎ∈Ｎｅｉｇｈｂｏｒ(ｓ)に関するi番目のＨＯ用ＭＲ「ＭＲ(ｓ, ｎ, ｉ）」に含まれる、自基地局ｓのＲＳＲＰ情報ＲＳＲＰｓ(ｓ, ｎ, ｉ）と、隣接基地局ｎのＲＳＲＰ情報ＲＳＲＰｎ(ｓ, ｎ, ｉ）とを、自基地局ｓと隣接基地局ｎとの基地局ペア(ｓ, ｎ）毎に集計する。ここで、Ｎｅｉｇｈｂｏｒ(ｓ)は、自基地局ｓに隣接する隣接基地局のインデックス集合である。
【００４３】
マージン算出部１１０は、自基地局ｓと隣接基地局ｎとの間のＨＯマージン値を、例えば、［ＨＯマージン値の算出方法１］〜［ＨＯマージン値の算出方法３］のいずれかにより算出することができる。
【００４４】
［ＨＯマージン値の算出方法１］（平均値）
マージン算出部１１０は、ｉ回目のＭＲを受信した際、反復式（６）により平均値を算出する。
【００４５】
ＨＯＭ(ｓ,ｎ, ｉ）＝｛（ＲＳＲＰｎ（ｓ,ｎ,ｉ）−ＲＳＲＰｓ(ｓ, ｎ, ｉ）)＋(ｉ−１)×ＨＯＭ(ｓ, ｎ, ｉ−１)}／ｉ    …（６）
【００４６】
ここで、ｉ＝１〜Ｉである。また、ＨＯＭ(ｓ, ｎ, ０)は、ＨＯマージン値の初期値であり、任意の定数である。
以上が、ＨＯマージン値の算出方法１である。
【００４７】
［ＨＯマージン値の算出方法２］（直近のＰ個のＲＳＲＰ履歴を用いた平均値）
マージン算出部１１０は、ｉ回目のＭＲを受信した際のＨＯマージン値を、直近に受信したＰ個のＲＳＲＰ（ＲＳＲＱ）履歴に基づいて、式（７）により算出する。
【００４８】
ＨＯＭ(ｓ, ｎ, ｉ）＝１／Ｐ{Σ＿{ｊ＝ｉ‐Ｐ＋１}＾{ｉ} (ＲＳＲＰｎ(ｓ, ｎ, ｊ) −ＲＳＲＰｓ(ｓ, ｎ, ｊ))}     …（７）
【００４９】
以上が、ＨＯマージン値の算出方法２である。
【００５０】
［ＨＯマージン値の算出方法３］（重み付き平均）
マージン算出部１１０は、ｉ回目のＭＲを受信した際、反復式（８）により重み付き平均値を算出する。
【００５１】
ＨＯＭ(ｓ,ｎ, ｉ）＝（１−ｗ) ×(ＲＳＲＰｎ(ｓ, ｎ, ｉ）−ＲＳＲＰｓ（ｓ,  ｎ,ｉ）)＋ｗ×ＨＯＭ(ｓ, ｎ, ｉ−１)     …（８）
【００５２】
ここで、ｉ＝１〜Ｉである。また、ｗは、値０以上１以下の予め定められた実数である。
以上が、ＨＯマージン値の算出方法３である。
【００５３】
マージン算出部１１０は、これらの算出方法により算出したＨＯマージン値を示す情報を、ＨＯ用ＭＲを受信する毎、一定時間周期毎、又は、ＨＯマージン値を一定回数更新する毎に、ヒステリシス算出部１３０及びマージン集計部２１０に出力する。
【００５４】
失敗算出部１２０には、ハンドオーバの成功を示す通知情報（ハンドオーバ成功）が、ハンドオーバが成功する毎に、端末（不図示）から入力される。また、失敗算出部１２０には、ハンドオーバの失敗の要因を示す通知情報（「Ｔｏｏ Ｌａｔｅ ＨＯ」,「Ｔｏｏ Ｅａｒｌｙ ＨＯ」,「ＨＯ ｔｏ Ｗｒｏｎｇ Ｃｅｌｌ」,「Ｐｉｎｇ‐Ｐｏｎｇ ＨＯ」）が、ハンドオーバが失敗する毎に、端末（不図示）から入力される。
【００５５】
失敗算出部１２０は、ハンドオーバに起因して発生したイベント（「ハンドオーバ成功」、「Ｔｏｏ Ｌａｔｅ ＨＯ」、「Ｔｏｏ Ｅａｒｌｙ ＨＯ」、「ＨＯ ｔｏ Ｗｒｏｎｇ Ｃｅｌｌ」、又は、「Ｐｉｎｇ‐Ｐｏｎｇ ＨＯ」）を示す情報に基づいて、自基地局のハンドオーバに起因して発生したイベント毎の発生回数を、自基地局と隣接基地局（ハンドオーバ先の基地局）との基地局ペア毎に算出する。
【００５６】
失敗算出部１２０は、自基地局のハンドオーバに起因して発生したイベント毎の発生回数を、ハンドオーバの指標を示す情報（以下、「ＨＯ指標情報」という）に含め、自基地局と隣接基地局との基地局ペア毎に、パラメータ算出部１４０及び失敗集計部２２０にＨＯ指標情報を出力する。
【００５７】
具体的には、失敗算出部１２０は、イベント毎の発生回数の評価値を、例えば、イベント毎の発生回数の算出方法１〜３のいずれかにより、自基地局と隣接基地局との基地局ペア毎に算出する。なお、イベント毎の発生回数の算出方法１〜３は、イベント毎の発生回数の算出方法の例であり、これらの方法に限らなくてもよい。
【００５８】
［イベント毎の発生回数の算出方法１］
失敗算出部１２０は、一定期間におけるイベント毎の発生回数を、自基地局と隣接基地局との基地局ペア毎に集計し、この集計結果を評価値とする。
以上が、イベント毎の発生回数の算出方法１である。
【００５９】
［イベント毎の発生回数の算出方法２］（忘却係数）
失敗算出部１２０は、ＨＯ指標情報に含まれるｉ回目のハンドオーバ成功評価値Ｎｉ (ｓ, ｎ, ハンドオーバ成功)と、ＨＯ指標情報に含まれるｉ回目のＴｏｏ Ｌａｔｅ ＨＯ評価値Ｎｉ (ｓ, ｎ, Ｔｏｏ Ｌａｔｅ ＨＯ)と、ＨＯ指標情報に含まれるｉ回目のＴｏｏ Ｅａｒｌｙ ＨＯ評価値Ｎｉ (ｓ, ｎ, Ｔｏｏ Ｅａｒｌｙ ＨＯ)と、ＨＯ指標情報に含まれるｉ回目のＨＯ ｔｏ Ｗｒｏｎｇ Ｃｅｌｌ評価値Ｎｉ (ｓ, ｎ, ＨＯ ｔｏ Ｗｒｏｎｇ Ｃｅｌｌ)と、ＨＯ指標情報に含まれるｉ回目のＰｉｎｇ‐Ｐｏｎｇ ＨＯ評価値Ｎｉ (ｓ, ｎ, Ｐｉｎｇ‐Ｐｏｎｇ ＨＯ)とを、（ｉ−１）回目の評価値Ｎｉ−１と、イベントＸの発生回数とに基づいて、式（９）により算出する。
【００６０】
Ｎｉ (ｓ,ｎ,Ｘ) ＝ ｗ×Ｎ(ｓ,ｎ,Ｘ) ＋ (１‐ｗ) ×Ｎｉ−１(ｓ,ｎ,Ｘ)   …（９）
【００６１】
ここで、Ｘは、イベント（要因）、すなわち、「ハンドオーバ成功」、「Ｔｏｏ Ｌａｔｅ ＨＯ」、「Ｔｏｏ Ｅａｒｌｙ ＨＯ」、「ＨＯ ｔｏ Ｗｒｏｎｇ Ｃｅｌｌ」、又は、「Ｐｉｎｇ‐Ｐｏｎｇ ＨＯ」である。また、ｗは、値０以上１以下の予め定められた実数である。また、Ｎ(ｓ, ｎ, Ｘ)は、現接続基地局ｓから隣接基地局ｎへのハンドオーバに関するイベントＸの発生回数である。
以上が、イベント毎の発生回数の算出方法２である。
【００６２】
［イベント毎の発生回数の算出方法３］（スライド平均）
失敗算出部１２０は、一定期間におけるイベント毎の発生回数を、直近Ｐ回の期間だけ自基地局と隣接基地局との基地局ペア毎に記憶する。失敗算出部１２０は、直近Ｐ回の期間におけるイベント毎の発生回数の平均値（スライド平均値）を算出する。
以上が、イベント毎の発生回数の算出方法３である。
【００６３】
上位装置２００のマージン集計部２１０には、基地局ペア毎のＨＯマージン値を示す情報が、各基地局１００のマージン算出部１１０から入力される。マージン集計部２１０は、基地局ペア毎の直近のＨＯマージン値を集計する。以下、隣接基地局の基地局ペア毎のＨＯマージン値を、「隣接基地局ＨＯマージン値」という。
【００６４】
上位装置２００のマージン集計部２１０は、隣接基地局ＨＯマージン値を示す情報を、各基地局１００のヒステリシス算出部１３０に出力する。すなわち、マージン集計部２１０は、隣接基地局ｎ∈Ｎｅｉｇｈｂｏｒ(ｓ)から基地局ｓへのハンドオーバに関するＨＯマージン値（＝ＨＯＭ(ｎ,ｓ)）を、全ての基地局（ｓ＝１〜Ｓ）に通知する。ここで、マージン集計部２１０は、基地局ｓの隣接基地局ｎから当該基地局ｓへのハンドオーバに関するＨＯマージン値のみを、当該基地局ｓに対して通知する。つまり、マージン集計部２１０は、当該基地局ｓに関係しないＨＯマージン値を、当該基地局ｓに対して通知することはしない。
【００６５】
上位装置２００の失敗集計部２２０には、基地局ペア毎のＨＯ指標情報が、各基地局１００の失敗算出部１２０から入力される。失敗集計部２２０は、直近のＨＯ指標情報を、隣接基地局の基地局ペア(基地局ｓ及び隣接基地局ｎ)毎に記憶する。以下、隣接基地局の基地局ペア毎のＨＯ指標情報を、「隣接基地局ＨＯ指標情報」という。
【００６６】
失敗集計部２２０は、隣接基地局ＨＯ指標情報を、各基地局１００のパラメータ算出部１４０と、トリガ部２３０とに出力する。すなわち、失敗集計部２２０は、隣接基地局ｎ∈Ｎｅｉｇｈｂｏｒ(ｓ)から基地局ｓへのハンドオーバに関する、イベントＸの発生回数の評価値ＮＭ(ｎ,ｓ,Ｘ)を、各基地局１００のパラメータ算出部１４０と、トリガ部２３０とに出力する。ここで、Ｍは、直近のＨＯ指標情報に含まれている評価値のインデックスである。
【００６７】
上位装置２００のトリガ部２３０には、隣接基地局ＨＯ指標情報、すなわち、ハンドオーバ成功評価値Ｎｉ(ｓ,ｎ, ハンドオーバ成功)、Ｔｏｏ Ｌａｔｅ ＨＯ評価値Ｎｉ(ｓ,ｎ,Ｔｏｏ Ｌａｔｅ ＨＯ)、Ｔｏｏ Ｅａｒｌｙ ＨＯ評価値Ｎｉ(ｓ, ｎ, Ｔｏｏ Ｅａｒｌｙ ＨＯ)、ＨＯ ｔｏ Ｗｒｏｎｇ Ｃｅｌｌ評価値Ｎｉ(ｓ,ｎ,ＨＯ ｔｏ Ｗｒｏｎｇ Ｃｅｌｌ)、及び、Ｐｉｎｇ‐Ｐｏｎｇ ＨＯ評価値Ｎｉ(ｓ,ｎ,Ｐｉｎｇ‐Ｐｏｎｇ ＨＯ)が、全ての基地局ｓ＝１〜Ｓについて、失敗集計部２２０から入力される。
【００６８】
トリガ部２３０は、パラメータを調整するか否か（ＨＯパラメータ値を算出するか否か）を示す指示情報を、各基地局１００のパラメータ算出部１４０に出力する。ここで、トリガ部２３０は、隣接基地局ＨＯ指標情報に基づいて（例えば、隣接基地局ＨＯ指標の降順に）選択した基地局のパラメータ算出部１４０に、パラメータを調整するか否かを示す指示情報を出力する。
【００６９】
ヒステリシス算出部１３０には、自基地局ｓのＨＯマージン値を示す情報が、マージン算出部１１０から入力される。また、ヒステリシス算出部１３０には、隣接基地局ＨＯマージン値を示す情報（ＨＯマージン値の集計結果）が、マージン集計部２１０から入力される。ヒステリシス算出部１３０は、自基地局ｓのＨＯマージン値を示す情報と、隣接基地局ＨＯマージン値を示す情報とに基づいて、ＨＯヒステリシス値を算出し、ＨＯヒステリシス値を示す情報を、パラメータ算出部１４０に出力する。ここで、ヒステリシス算出部１３０は、自基地局ｓと隣接基地局ｎ∈Ｎｅｉｇｈｂｏｒ(ｓ)との間のＨＯヒステリシス値ＨＯｈｙｓ(ｓ, ｎ)を、式（５）により算出する。
【００７０】
パラメータ算出部１４０（パラメータ調整装置）には、自基地局ｓから隣接基地局ｎへのハンドオーバに関する、自基地局ｓと隣接基地局ｎとの基地局ペア毎のＨＯ指標情報が、失敗算出部１２０から入力される。また、パラメータ算出部１４０には、隣接基地局ｎから自基地局ｓへのハンドオーバに関する隣接基地局ＨＯ指標情報が、失敗集計部２２０から入力される。また、パラメータ算出部１４０には、自基地局ｓと隣接基地局ｎとの間のＨＯヒステリシス値（ＨＯｈｙｓ(ｓ,ｎ)）を示す情報が、ヒステリシス算出部１３０から入力される。また、パラメータ算出部１４０には、パラメータを調整するか否かを示す指示情報が、上位装置２００のトリガ部２３０から入力される。
【００７１】
パラメータ算出部１４０は、パラメータを調整するか否かを示す指示情報が、パラメータを調整することを示す場合、自基地局と隣接基地局のＨＯマージン値を示す情報と、ＨＯヒステリシス値を示す情報と、自基地局ｓから隣接基地局ｎへのハンドオーバに関する自基地局ｓと隣接基地局ｎとの基地局ペア毎のＨＯ指標情報と、隣接基地局ＨＯ指標情報とに基づいて、ＨＯパラメータ値を算出する。これにより、パラメータ算出部１４０は、ハンドオーバ性能以外を向上させる目的でＨＯパラメータを調整した場合でも、ハンドオーバ性能を低下させないようにすることができる。パラメータ算出部１４０は、ＨＯパラメータ値を示す情報を、設定部１５０及びパラメータ集計部２４０に出力する。
【００７２】
上位装置２００のパラメータ集計部２４０には、基地局ペア毎のＨＯパラメータ値を示す情報が、各基地局１００のパラメータ算出部１４０から入力される。パラメータ集計部２４０は、基地局ペア毎のＨＯパラメータ値を示す情報を集計して、この集計結果を各基地局１００の設定部１５０に出力する。
【００７３】
設定部１５０には、ＨＯパラメータ値を示す情報が、パラメータ算出部１４０から入力される。また、設定部１５０には、基地局ペア毎のＨＯパラメータ値を示す情報（ＨＯパラメータ値の集計結果）が、パラメータ集計部２４０から入力される。設定部１５０は、ＨＯパラメータ値を示す情報、及び、基地局ペア毎のＨＯパラメータ値を示す情報（ＨＯパラメータ値の集計結果）の少なくとも一方に基づいて、アクティブ・ハンドオーバ処理を実行する。
【００７４】
次に、無線通信システムの動作手順の例を説明する。
無線通信システムは、ピンポン・ハンドオーバを抑止するため、ＨＯパラメータ値の調整を、以下の動作手順により実行する。
【００７５】
トリガ部２３０には、自基地局ｓから隣接基地局ｎへのハンドオーバに関する、隣接基地局ｎ毎（基地局ペア毎）のＨＯ指標情報（Ｎｉ(ｓ,ｎ,ハンドオーバ成功)、Ｎｉ(ｓ,ｎ,Ｔｏｏ Ｌａｔｅ ＨＯ)、Ｎｉ(ｓ,ｎ,Ｔｏｏ Ｅａｒｌｙ ＨＯ)、Ｎｉ(ｓ,ｎ,ＨＯ ｔｏ Ｗｒｏｎｇ Ｃｅｌｌ)、及び、Ｎｉ(ｓ,ｎ,Ｐｉｎｇ‐Ｐｏｎｇ ＨＯ) ）が、全ての基地局について入力される。トリガ部２３０は、パラメータを調整するか否かを示す指示情報を、各基地局１００のパラメータ算出部１４０に出力する。
【００７６】
パラメータ算出部１４０には、自基地局ｓと隣接基地局ｎとの間のＨＯヒステリシス値を示す情報（ＨＯｈｙｓ(ｓ, ｎ)）が入力される。また、パラメータ算出部１４０には、自基地局ｓから隣接基地局ｎへのハンドオーバに関する隣接基地局ｎ毎（基地局ペア毎）のＨＯ指標情報（Ｎｉ(ｓ,ｎ,ハンドオーバ成功)、Ｎｉ(ｓ,ｎ,Ｔｏｏ Ｌａｔｅ ＨＯ)、Ｎｉ(ｓ,ｎ,Ｔｏｏ Ｅａｒｌｙ ＨＯ)、Ｎｉ(ｓ,ｎ,ＨＯ ｔｏ Ｗｒｏｎｇ Ｃｅｌｌ)、及び、Ｎｉ(ｓ,ｎ,Ｐｉｎｇ‐Ｐｏｎｇ ＨＯ) ）が入力される。
【００７７】
また、パラメータ算出部１４０には、隣接基地局ｎから自基地局ｓへのハンドオーバに関する隣接基地局ＨＯ指標情報（Ｎｉ(ｎ, ｓ, ハンドオーバ成功) 、Ｎｉ(ｎ, ｓ, Ｔｏｏ Ｌａｔｅ ＨＯ)、Ｎｉ(ｎ, ｓ, Ｔｏｏ Ｅａｒｌｙ ＨＯ)、Ｎｉ(ｎ, ｓ, ＨＯ ｔｏ Ｗｒｏｎｇ Ｃｅｌｌ) 、及び、Ｎｉ(ｎ, ｓ, Ｐｉｎｇ‐Ｐｏｎｇ ＨＯ)）が入力される。
【００７８】
図２は、無線通信システムの動作手順の例を示すフローチャートである。パラメータ算出部１４０は、パラメータを調整するか否かを示す指示情報が、パラメータを調整することを示す場合、以下の動作手順を実行する。
【００７９】
（ステップＳ１）トリガ部２３０は、自基地局ｓから隣接基地局ｎへのハンドオーバに関する、隣接基地局ｎ毎（基地局ペア毎）のＨＯ指標情報に含まれるピンポン・ハンドオーバ評価値Ｎｉを、全ての基地局ｓ＝１〜Ｓについて降順にソートする。また、トリガ部２３０は、以下に示すステップＳ２〜ステップＳ４を、自基地局ｓと隣接基地局ｎとの基地局ペア（ｓ,ｎ）毎に、ピンポン・ハンドオーバ評価値Ｎｉの降順に実行する。
【００８０】
（ステップＳ２）トリガ部２３０は、ピンポン・ハンドオーバ評価値Ｎｉ(ｓ, ｎ, Ｐｉｎｇ‐Ｐｏｎｇ ＨＯ)が、予め定められた一定閾値以上であるか否かを判定する。ピンポン・ハンドオーバ評価値Ｎｉが、一定閾値以上である場合（ステップＳ２：Ｙｅｓ）、トリガ部２３０は、ステップＳ３に処理を進める。一方、ピンポン・ハンドオーバ評価値Ｎｉが、一定閾値以上でない場合（ステップＳ２：Ｎｏ）、トリガ部２３０は、ステップＳ４に処理を進める。
【００８１】
なお、ステップＳ２において、トリガ部２３０は、ピンポン・ハンドオーバ評価値Ｎｉがハンドオーバ成功評価値Ｎｉ(ｓ, ｎ, ハンドオーバ成功)で除算された値が、一定閾値以上であるか否かを判定してもよい。
【００８２】
（ステップＳ３）トリガ部２３０は、ＭＲ送信条件に関するＨＯ用ＭＲのパラメータを調整するためのフラグ（以下、「ＭＲパラメータ調整フラグ」という）を、ピンポン・ハンドオーバ評価値Ｎｉが一定閾値以上である（ＨＯヒステリシス値ＨＯｈｙｓが所定値以上でない）基地局ｓと隣接基地局ｎとの基地局ペア（ｓ,ｎ）に対して、オフに定める。そして、トリガ部２３０は、ステップＳ５に処理を進める。
【００８３】
（ステップＳ４）トリガ部２３０は、ＭＲパラメータ調整フラグを、ピンポン・ハンドオーバ評価値Ｎｉが一定閾値以上でない（ＨＯヒステリシス値ＨＯｈｙｓが所定値以上である）基地局ｓと隣接基地局ｎとの基地局ペア（ｓ,ｎ）に対して、オンに定める。そして、トリガ部２３０は、ステップＳ５に処理を進める。
【００８４】
（ステップＳ５）パラメータ算出部１４０は、ピンポン・ハンドオーバ評価値Ｎｉが一定閾値以上でない基地局ペア (ｓ,ｎ) 、すなわち、ＭＲパラメータ調整フラグがオンに定められた基地局ペア (ｓ,ｎ)に対して、ＨＯヒステリシス値ＨＯｈｙｓが所定値であることを保証した上で、ハンドオーバ性能以外を向上させる目的のため、ＭＲ送信条件に関するＨＯ用ＭＲのパラメータを調整する。この調整の動作手順については、図５を用いて後述する。
【００８５】
（ステップＳ６）トリガ部２３０は、ピンポン・ハンドオーバ評価値Ｎｉが一定閾値以上でない基地局ペア (ｓ,ｎ) 、すなわち、ＭＲパラメータ調整フラグがオフに定められた基地局ペア (ｓ,ｎ)を、Ｐｉｎｇ‐Ｐｏｎｇ ＨＯ評価値Ｎｉ (ｓ, ｎ, Ｐｉｎｇ‐Ｐｏｎｇ ＨＯ)の降順にソートする。そして、トリガ部２３０は、ＭＲパラメータ調整フラグがオフに定められた基地局ペア (ｓ,ｎ)の各パラメータ算出部１４０に、Ｐｉｎｇ‐Ｐｏｎｇ ＨＯ評価値Ｎｉの降順に、ステップＳ７を実行させる。
【００８６】
（ステップＳ７）ピンポン・ハンドオーバの発生は、ＨＯヒステリシス値ＨＯｈｙｓが大きいほど抑止される。トリガ部２３０は、ＭＲパラメータ調整フラグがオフに定められている基地局のパラメータ算出部１４０に、その基地局が端末に指定したＨＯ用ＭＲの種類に応じて、ハンドオーバのタイミングを遅らせることを示す指示情報を出力する。
【００８７】
ここで、トリガ部２３０は、オフに定められたＭＲパラメータ調整フラグが割り当てられている基地局ｓのパラメータ算出部１４０に、ピンポン・ハンドオーバ評価値Ｎｉが相対的に大きい基地局ペア（ｓ,ｎ）から順に、ハンドオーバのタイミングを遅らせることを示す指示情報を送信する。
【００８８】
パラメータ算出部１４０は、ハンドオーバのタイミングを遅らせることを示す指示情報をトリガ部２３０から受信した場合、ＨＯヒステリシス値ＨＯｈｙｓが所定値以上となるよう確保した上で、ＭＲ送信条件に関するＨＯ用ＭＲのパラメータを調整する。パラメータ算出部１４０は、この指示情報に基づいてハンドオーバのタイミングを遅らせることにより、ピンポン・ハンドオーバの発生を抑止することができる。
【００８９】
具体的には、パラメータ算出部１４０は、ＨＯマージン値の調整方法１〜４のいずれかにより、ＨＯマージン値を調整することで、ＭＲ送信条件に関するＨＯ用ＭＲのパラメータを調整する。なお、ＨＯマージン値の調整方法１〜４は、ＨＯマージン値の調整方法の例であり、これらの方法に限らなくてもよい。
【００９０】
［ＨＯマージン値の調整方法１］
パラメータ算出部１４０は、自基地局ｓから隣接基地局ｎへのハンドオーバに関するＨＯ指標情報に含まれる、Ｔｏｏ Ｌａｔｅ ＨＯ評価値Ｎｉ(ｓ,ｎ,Ｔｏｏ Ｌａｔｅ ＨＯ) と、隣接基地局ｎから自基地局ｓへのハンドオーバに関するＨＯ指標情報に含まれる、Ｔｏｏ Ｌａｔｅ ＨＯ評価値Ｎｉ(ｎ,ｓ,Ｔｏｏ Ｌａｔｅ ＨＯ) とを比較する。
【００９１】
パラメータ算出部１４０は、Ｔｏｏ Ｌａｔｅ ＨＯ評価値Ｎｉ(ｓ,ｎ,Ｔｏｏ Ｌａｔｅ ＨＯ) が、Ｔｏｏ Ｌａｔｅ ＨＯ評価値Ｎｉ(ｎ,ｓ,Ｔｏｏ Ｌａｔｅ ＨＯ) 以上である場合、隣接基地局ｎから自基地局ｓへのハンドオーバに関するＨＯマージン値ＨＯＭ(ｎ, ｓ)を調整すると定める。
【００９２】
一方、パラメータ算出部１４０は、Ｔｏｏ Ｌａｔｅ ＨＯ評価値Ｎｉ(ｓ,ｎ,Ｔｏｏ Ｌａｔｅ ＨＯ) が、Ｔｏｏ Ｌａｔｅ ＨＯ評価値Ｎｉ(ｎ,ｓ,Ｔｏｏ Ｌａｔｅ ＨＯ) 未満である場合、自基地局ｓから隣接基地局ｎへのハンドオーバに関するＨＯマージン値ＨＯＭ(ｓ,ｎ)を調整すると定める。
以上が、ＨＯマージン値の調整方法１である。
【００９３】
［ＨＯマージン値の調整方法２］
パラメータ算出部１４０は、自基地局ｓから隣接基地局ｎへのハンドオーバに関するＨＯ指標情報に含まれる、Ｔｏｏ Ｌａｔｅ ＨＯ評価値Ｎｉ(ｓ,ｎ,Ｔｏｏ Ｌａｔｅ ＨＯ) と、Ｔｏｏ Ｅａｒｌｙ ＨＯ評価値Ｎｉ(ｓ,ｎ, Ｔｏｏ Ｅａｒｌｙ ＨＯ)と、ＨＯ ｔｏ Ｗｒｏｎｇ Ｃｅｌｌ評価値Ｎｉ(ｓ,ｎ, ＨＯ ｔｏ Ｗｒｏｎｇ Ｃｅｌｌ)とを加算する。以下、この加算結果を、「第１加算結果」という。
【００９４】
また、パラメータ算出部１４０は、隣接基地局ｎから自基地局ｓへのハンドオーバに関するＨＯ指標情報に含まれる、Ｔｏｏ Ｌａｔｅ ＨＯ評価値Ｎｉ(ｎ,ｓ, Ｔｏｏ Ｌａｔｅ ＨＯ)と、Ｔｏｏ Ｅａｒｌｙ ＨＯ評価値Ｎｉ(ｎ,ｓ, Ｔｏｏ Ｅａｒｌｙ ＨＯ)と、ＨＯ ｔｏ Ｗｒｏｎｇ Ｃｅｌｌ評価値Ｎｉ(ｎ,ｓ, ＨＯ ｔｏ Ｗｒｏｎｇ Ｃｅｌｌ)とを加算する。以下、この加算結果を、「第２加算結果」という。
【００９５】
パラメータ算出部１４０は、第１加算結果が第２加算結果以上である場合、隣接基地局ｎから自基地局ｓへのハンドオーバに関するＨＯマージン値ＨＯＭ(ｎ, ｓ)を調整すると定める。一方、パラメータ算出部１４０は、第１加算結果が第２加算結果以上でない場合、自基地局ｓから隣接基地局ｎへのハンドオーバに関するＨＯマージン値ＨＯＭ(ｓ,ｎ)を調整すると定める。
以上が、ＨＯマージン値の調整方法２である。
【００９６】
［ＨＯマージン値の調整方法３］
図３は、ＨＯマージン値の調整方法３の動作手順を示すフローチャートである。
（ステップＳａ１）パラメータ算出部１４０は、自基地局ｓから隣接基地局ｎへのハンドオーバに関するＨＯ指標情報に含まれる、ハンドオーバ成功ＨＯ評価値Ｎｉ(ｓ,ｎ, ハンドオーバ成功) に、第１加算結果を加算する。以下、この加算結果を、「第３加算結果」という。パラメータ算出部１４０は、第１加算結果を第３加算結果で除算する。以下、この除算結果を、「自基地局ｓから隣接基地局ｎへのハンドオーバに関するハンドオーバ失敗率」という。
【００９７】
また、パラメータ算出部１４０は、隣接基地局ｎから自基地局ｓへのハンドオーバに関するＨＯ指標情報に含まれる、ハンドオーバ成功ＨＯ評価値Ｎｉ(ｎ, ｓ, ハンドオーバ成功) に、第２加算結果を加算する。以下、この加算結果を、「第４加算結果」という。パラメータ算出部１４０は、第２加算結果を第４加算結果で除算する。以下、この除算結果を、「隣接基地局ｎから自基地局ｓへのハンドオーバに関するハンドオーバ失敗率」という。
【００９８】
パラメータ算出部１４０は、自基地局ｓから隣接基地局ｎへのハンドオーバに関するハンドオーバ失敗率と、隣接基地局ｎから自基地局ｓへのハンドオーバに関するハンドオーバ失敗率とが、共に所定許容閾値以上であるか否かを判定する。当該ハンドオーバ失敗率が、共に所定許容閾値以上である場合（ステップＳａ１：Ｙｅｓ）、パラメータ算出部１４０は、ステップＳａ２に処理を進める。一方、当該ハンドオーバ失敗率の少なくとも一方が、所定許容閾値以上でない場合（ステップＳａ１：Ｎｏ）、パラメータ算出部１４０は、ステップＳａ３に処理を進める。
【００９９】
（ステップＳａ２）パラメータ算出部１４０は、ハンドオーバの失敗原因に応じてハンドオーバ失敗率を低減させるために、ＨＯマージン値を調整することにより、ＭＲ送信条件に関するＨＯ用ＭＲのパラメータを調整する。例えば、パラメータ算出部１４０は、ハンドオーバの失敗原因に応じて、ハンドオーバ失敗率を低減するようにパラメータ調整を実行する。ここで、パラメータ算出部１４０は、例えば、非特許文献１に示された方法により、パラメータ調整を実行する。そして、パラメータ算出部１４０は、ＨＯマージン値の調整方法３に関する処理を終了させる。
【０１００】
（ステップＳａ３）パラメータ算出部１４０は、自基地局ｓから隣接基地局ｎへのハンドオーバに関するＨＯ指標情報に含まれる、Ｔｏｏ Ｌａｔｅ ＨＯ評価値Ｎｉ(ｓ,ｎ,Ｔｏｏ Ｌａｔｅ ＨＯ)が、隣接基地局ｎから自基地局ｓへのハンドオーバに関するＨＯ指標情報に含まれる、Ｔｏｏ Ｌａｔｅ ＨＯ評価値Ｎｉ(ｎ,ｓ, Ｔｏｏ Ｌａｔｅ ＨＯ)以上であるか否かを判定する。
【０１０１】
Ｔｏｏ Ｌａｔｅ ＨＯ評価値Ｎｉ(ｓ,ｎ,Ｔｏｏ Ｌａｔｅ ＨＯ)が、Ｔｏｏ Ｌａｔｅ ＨＯ評価値Ｎｉ(ｎ,ｓ, Ｔｏｏ Ｌａｔｅ ＨＯ)以上である場合（ステップＳａ３：Ｙｅｓ）、パラメータ算出部１４０は、ステップＳａ４に処理を進める。一方、Ｔｏｏ Ｌａｔｅ ＨＯ評価値Ｎｉ(ｓ,ｎ,Ｔｏｏ Ｌａｔｅ ＨＯ)が、Ｔｏｏ Ｌａｔｅ ＨＯ評価値Ｎｉ(ｎ,ｓ, Ｔｏｏ Ｌａｔｅ ＨＯ)以上でない場合（ステップＳａ３：Ｎｏ）、パラメータ算出部１４０は、ステップＳａ５に処理を進める。
【０１０２】
（ステップＳａ４）パラメータ算出部１４０は、ＨＯヒステリシス値ＨＯｈｙｓを増加させるために、ＨＯマージン値ＨＯＭ(ｎ,ｓ)を増加させると定める。そして、パラメータ算出部１４０は、ＨＯマージン値の調整方法３に関する処理を終了させる。
【０１０３】
（ステップＳａ５）パラメータ算出部１４０は、ＨＯヒステリシス値ＨＯｈｙｓを増加させるために、ＨＯマージン値ＨＯＭ(ｓ,ｎ)を増加させると定める。そして、パラメータ算出部１４０は、ＨＯマージン値の調整方法３に関する処理を終了させる。
以上が、ＨＯマージン値の調整方法３である。
【０１０４】
図２に戻り、ステップＳ７における動作の説明を続ける。
［ＨＯマージン値の調整方法４］
パラメータ算出部１４０は、自基地局ｓから隣接基地局ｎへのＨＯハンドオーバに関するＨＯ指標情報に含まれる、無線リンク断（ＲＬＦ）の発生回数（以下、「第１無線リンク断回数」という）と、隣接基地局ｎから自基地局ｓへのＨＯハンドオーバに関するＨＯ指標情報に含まれる、無線リンク断（ＲＬＦ）の発生回数（以下、「第２無線リンク断回数」という）とを比較する。
【０１０５】
パラメータ算出部１４０は、第１無線リンク断回数が、第２無線リンク断回数以上である場合、ＨＯヒステリシス値ＨＯｈｙｓを増加させるために、隣接基地局ｎから自基地局ｓへのＨＯハンドオーバに関するＨＯマージン値ＨＯＭ(ｎ,ｓ)を調整すると定める。一方、パラメータ算出部１４０は、第１無線リンク断回数が、第２無線リンク断回数以上でない場合、ＨＯヒステリシス値ＨＯｈｙｓを増加させるために、自基地局ｓから隣接基地局ｎへのＨＯハンドオーバに関するＨＯマージン値ＨＯＭ(ｓ,ｎ)を調整すると定める。
以上が、ＨＯマージン値の調整方法４である。
【０１０６】
パラメータ算出部１４０は、ＭＲ送信条件として自基地局が端末にＡ３ＭＲを指定した場合、ＨＯマージン値ＨＯＭ（式（５）を参照）を、予め定められた第１値だけ増加させる。これにより、ＨＯヒステリシス値ＨＯｈｙｓは増加する。
【０１０７】
また、パラメータ算出部１４０は、ＭＲ送信条件として自基地局が端末にＡ４ＭＲを指定した場合、電力閾値ＴｈＡ４（式（２）を参照）を、予め定められた第２値だけ増加させる。これにより、ＨＯマージン値、すなわち、ＨＯヒステリシス値ＨＯｈｙｓは増加する。
【０１０８】
また、パラメータ算出部１４０は、ＭＲ送信条件として自基地局が端末にＡ５ＭＲを指定した場合、電力閾値ＴｈＡ５＿１（式（３）を参照）を予め定められた第３値だけ減少させ、又は、電力閾値ＴｈＡ５＿２（式（４）を参照）を予め定められた第４値だけ増加させる。これにより、ＨＯマージン値、すなわち、ＨＯヒステリシス値ＨＯｈｙｓは増加する。なお、これら第１値〜第４値によるそれぞれの調整幅は、最小パラメータ設定粒度（非特許文献１を参照）でもよい。
【０１０９】
ステップＳ３において、ＭＲパラメータ調整フラグがオンに定められた基地局ペア (ｓ,ｎ)は、ピンポン・ハンドオーバが既に抑制されている。このため、パラメータ算出部１４０は、ＨＯヒステリシス値ＨＯｈｙｓの現在の値を確保した上で、ＭＲ送信条件に関するＨＯ用ＭＲのパラメータを調整することにより、ピンポン・ハンドオーバの発生を抑止した上で、ハンドオーバ性能以外を向上させる目的のために、パラメータ調整を実行することができる。
【０１１０】
パラメータ算出部１４０は、ＨＯマージン値ＨＯＭを、式（１０）が満たされる範囲で調整する。
【０１１１】
ＨＯｈｙｓ(ｓ,ｎ)≦ＨＯＭ(ｎ,ｓ)＋ＨＯＭ(ｓ,ｎ)  …（１０）
【０１１２】
ここで、パラメータ算出部１４０は、Ａ３ＭＲを通知するよう自基地局が端末に指定した場合、ＨＯＭ(ｓ,ｎ)を一定値増加させ、且つ、式(１０)を満たす範囲でＨＯＭ(ｎ,ｓ)を減少させる。また、パラメータ算出部１４０は、ＨＯＭ(ｎ, ｓ)を一定値増加させ、且つ、式(１０)を満たす範囲でＨＯＭ(ｓ,ｎ)を減少させてもよい。また、パラメータ算出部１４０は、ＨＯＭ(ｓ,ｎ)及びＨＯＭ(ｎ,ｓ)の少なくとも一方を、一定値増加させてもよい。
【０１１３】
また、パラメータ算出部１４０は、Ａ４ＭＲを通知するよう自基地局が端末に指定した場合、電力閾値ＴｈＡ４(ｓ,ｎ)を一定値増加させ、且つ、電力閾値ＴｈＡ４ (ｎ,ｓ)を一定値減少させる（式（２）を参照）。また、パラメータ算出部１４０は、電力閾値ＴｈＡ４(ｓ,ｎ)及び電力閾値ＴｈＡ４ (ｎ,ｓ) の少なくとも一方を、一定値増加させてもよい。
【０１１４】
また、パラメータ算出部１４０は、Ａ５ＭＲを通知するよう自基地局が端末に指定した場合、閾値ＴｈＡ５＿１を一定値減少させる（式（３）を参照）。また、パラメータ算出部１４０は、閾値ＴｈＡ５＿２を一定値増加させてもよい（式（４）を参照）。
以上が、無線通信システムの動作手順の例である。
【０１１５】
次に、ＭＲ送信条件を定めるためのパラメータを、ハンドオーバ性能以外を向上させる目的で調整する場合（図２のステップＳ５を参照）について説明する。
トリガ部２３０は、ハンドオーバ性能以外を向上させる目的、例えば、無線リソース使用率を基地局間で平滑化（負荷分散）させることを目的として、基地局ペア(ｓ,ｎ)の各パラメータ算出部１４０に、それぞれのエリアの拡大又は縮小を要求する。
【０１１６】
図４は、基地局のエリアを拡大又は縮小させるための方法を、ＨＯ用ＭＲ毎に示す表である。トリガ部２３０は、基地局ｓの無線リソース使用率と、基地局ｎの無線リソース使用率とを比較する。トリガ部２３０は、無線リソース使用率が相対的に高い基地局には、エリアを拡大させるよう要求する。一方、トリガ部２３０は、無線リソース使用率の相対的に低い基地局には、エリアを縮小させるよう要求する。パラメータ算出部１４０は、自基地局が端末に指定したＨＯ用ＭＲの種類に応じて、自基地局のエリアを拡大又は縮小させるための方法を選択する。
【０１１７】
パラメータ算出部１４０は、自基地局が端末に指定したＨＯ用ＭＲがＡ３ＭＲであり、且つ、エリアを拡大させるよう要求された場合、ＨＯマージン値（ＨＯＭ）を増加させる。これにより、ＨＯヒステリシス値ＨＯｈｙｓは増加する。一方、パラメータ算出部１４０は、自基地局が端末に指定したＨＯ用ＭＲがＡ３ＭＲであり、且つ、エリアを縮小させるよう要求された場合、ＨＯマージン値を減少させる。これにより、ＨＯヒステリシス値ＨＯｈｙｓは減少する。ここで、ＨＯマージン値を減少させたことにより、式（１０）が満たされなくなった場合、パラメータ算出部１４０は、式(１０)を満たす範囲で、ＨＯマージン値を減少させてもよい。また、パラメータ算出部１４０は、ＨＯマージン値を減少させる処理（手続き）を取り消してもよい。
【０１１８】
また、パラメータ算出部１４０は、自基地局が端末に指定したＨＯ用ＭＲがＡ４ＭＲであり、且つ、エリアを拡大させるよう要求された場合、電力閾値ＴｈＡ４を一定値増加させる。これにより、ＨＯマージン値、すなわち、ＨＯヒステリシス値ＨＯｈｙｓは増加する。一方、自基地局が端末に指定したＨＯ用ＭＲがＡ４ＭＲであり、且つ、エリアを縮小させるよう要求された場合、電力閾値ＴｈＡ４を一定値減少させる。これにより、ＨＯマージン値、すなわち、ＨＯヒステリシス値ＨＯｈｙｓは減少する。
【０１１９】
また、パラメータ算出部１４０は、自基地局が端末に指定したＨＯ用ＭＲがＡ５ＭＲであり、且つ、エリアを拡大させるよう要求された場合、閾値ＴｈＡ５＿１を一定値減少させる処理、及び、閾値ＴｈＡ５＿２を一定値増加させる処理の少なくとも一方を実行する。これにより、ＨＯマージン値、すなわち、ＨＯヒステリシス値ＨＯｈｙｓは増加する。一方、パラメータ算出部１４０は、自基地局が端末に指定したＨＯ用ＭＲがＡ５ＭＲであり、且つ、エリアを縮小させるよう要求された場合、閾値ＴｈＡ５＿１を一定値増加させる処理、及び、閾値ＴｈＡ５＿２を一定値減少させる処理のうち、少なくとも一方を実行する。これにより、ＨＯマージン値、すなわち、ＨＯヒステリシス値ＨＯｈｙｓは減少する。
【０１２０】
図５は、パラメータ算出部が基地局のエリアを拡大又は縮小させる動作手順の例を示すフローチャートである。
（ステップＳｂ１）パラメータ算出部１４０は、自基地局ｓから隣接基地局ｎへのＨＯハンドオーバに関するＨＯマージン値ＨＯＭ(ｓ,ｎ)を調整すると定めた場合（ＨＯマージン値の調整方法１〜４を参照）、自基地局ｓのエリアの維持、拡大又は縮小のいずれをトリガ部２３０から要求されたかを判定する。
【０１２１】
維持を要求された場合（ステップＳｂ１：維持）、パラメータ算出部１４０は、ステップＳｂ４に処理を進める。また、拡大を要求された場合（ステップＳｂ１：拡大）、パラメータ算出部１４０は、ステップＳｂ２に処理を進める。また、縮小を要求された場合（ステップＳｂ１：縮小）、パラメータ算出部１４０は、ステップＳｂ３に処理を進める。
【０１２２】
（ステップＳｂ２）パラメータ算出部１４０は、自基地局ｓから隣接基地局ｎへのＨＯハンドオーバに関するＨＯマージン値ＨＯＭ(ｓ,ｎ)を増加させ、ステップＳｂ４に処理を進める。
（ステップＳｂ３）パラメータ算出部１４０は、自基地局ｓから隣接基地局ｎへのＨＯハンドオーバに関するＨＯマージン値ＨＯＭ(ｓ,ｎ)を減少させ、ステップＳｂ４に処理を進める。
【０１２３】
（ステップＳｂ４）パラメータ算出部１４０は、隣接基地局ｎから自基地局ｓへのＨＯハンドオーバに関するＨＯマージン値ＨＯＭ(ｎ,ｓ)を調整すると定めた場合（ＨＯマージン値の調整方法１〜４を参照）、自基地局ｓのエリアの維持、拡大又は縮小のいずれをトリガ部２３０から要求されたかを判定する。
【０１２４】
維持を要求された場合（ステップＳｂ４：維持）、パラメータ算出部１４０は、ＨＯマージン値を調整する処理を終了させる。また、拡大を要求された場合（ステップＳｂ４：拡大）、パラメータ算出部１４０は、ステップＳｂ５に処理を進める。また、縮小を要求された場合（ステップＳｂ４：縮小）、パラメータ算出部１４０は、ステップＳｂ６に処理を進める。
【０１２５】
（ステップＳｂ５）パラメータ算出部１４０は、隣接基地局ｎから自基地局ｓへのＨＯハンドオーバに関するＨＯマージン値ＨＯＭ(ｎ,ｓ)を増加させ、ＨＯマージン値を調整する処理を終了させる。
（ステップＳｂ６）パラメータ算出部１４０は、隣接基地局ｎから自基地局ｓへのＨＯハンドオーバに関するＨＯマージン値ＨＯＭ(ｎ,ｓ)を減少させ、ＨＯマージン値を調整する処理を終了させる。
【０１２６】
以上のように、パラメータ調整装置は、基地局１００−１に測定報告（ＨＯ用ＭＲ）を送信するか否かを端末（不図示）が判定するためのパラメータ値（ＨＯパラメータ値）を、基地局間のハンドオーバの指標（例えば、ピンポン・ハンドオーバ発生率、ハンドオーバ失敗率）に基づいて、基地局間（例えば、基地局１００−ｓ及び基地局１００−ｎ）のハンドオーバのヒステリシス値（ＨＯヒステリシス値）が所定値以上となるように算出するパラメータ算出部１４０を備える。
この構成により、パラメータ算出部１４０は、基地局に測定報告を送信するか否かを端末が判定するためのパラメータ値を、基地局間のハンドオーバの指標に基づいて、前記基地局間のハンドオーバのヒステリシス値が所定値以上となるように算出する。これにより、パラメータ調整装置は、ＭＲ送信条件を定めるためのパラメータを、ハンドオーバ性能以外を向上させる目的で調整した場合でも、ハンドオーバ性能を低下させないようにすることができる。
【０１２７】
また、パラメータ調整装置は、前記ハンドオーバの指標としてのピンポン・ハンドオーバの発生率又はハンドオーバの失敗率を算出する失敗算出部１２０を備える。パラメータ算出部１４０は、前記ピンポン・ハンドオーバの発生率又は前記ハンドオーバの失敗率が閾値以上である場合、前記ピンポン・ハンドオーバの発生率又は前記ハンドオーバの失敗率が前記閾値未満となるように、前記パラメータ値（ＨＯパラメータ値）を算出する。
【０１２８】
また、パラメータ算出部１４０は、自基地局ｓから他の基地局ｎへのハンドオーバのタイミングと、前記他の基地局ｎから自基地局ｓへのハンドオーバのタイミングとのうち少なくとも一方を、前記パラメータ値（ＨＯパラメータ値）を算出することにより調整する。
【０１２９】
また、パラメータ算出部１４０は、前記パラメータ値（ＨＯパラメータ値）を算出する指示（指示情報）を受信した場合、前記パラメータ値を算出する。
また、パラメータ算出部１４０は、前記ハンドオーバの指標（例えば、ピンポン・ハンドオーバ発生率、ハンドオーバ失敗率）により定まる順（例えば、降順）に、前記指示を受信する。
【０１３０】
また、パラメータ調整装置は、自基地局ｓによる受信電力（ＲＳＲＰ)又は受信品質（ＲＳＲＱ）と、他の基地局ｎによる受信電力又は受信品質との差に基づいて、基地局間のハンドオーバのマージン値（ＨＯマージン値）を算出するマージン算出部１１０を備える。パラメータ算出部１４０は、前記マージン値により定まる前記ヒステリシス値（ＨＯヒステリシス値）が前記所定値以上となるように、前記パラメータ値を算出する。
【０１３１】
また、パラメータ調整プログラムは、コンピュータに、基地局１００−１に測定報告（ＨＯ用ＭＲ）を送信するか否かを端末（不図示）が判定するためのパラメータ値（ＨＯパラメータ値）を、基地局間のハンドオーバの指標（例えば、ピンポン・ハンドオーバ発生率、ハンドオーバ失敗率）に基づいて、基地局間（例えば、基地局１００−ｓ及び基地局１００−ｎ）のハンドオーバのヒステリシス値（ＨＯヒステリシス値）が所定値以上となるように算出する手順を実行させる。
【０１３２】
以上、この発明の実施形態について図面を参照して詳述してきたが、具体的な構成はこの実施形態に限られるものではなく、この発明の要旨を逸脱しない範囲の設計等も含まれる。
【０１３３】
例えば、無線通信システムは、ＬＴＥ規格以外に準拠した無線通信を実行してもよい。また、例えば、基地局は、ＨＯ指標情報などを他の基地局と交換し、集計してもよい。この場合、無線通信システムは、上位装置を備えなくてもよい。
【０１３４】
なお、上記に説明したパラメータ調整装置及び基地局を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【０１３５】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１３６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１３７】
１００…基地局、１１０…マージン算出部、１２０…失敗算出部、１３０…ヒステリシス算出部、１４０…パラメータ算出部、１５０…設定部、２００…上位装置、２１０…マージン集計部、２２０…失敗集計部、２３０…トリガ部、２４０…パラメータ集計部
【図１】
2014007593.tif 000003
【図２】
2014007593.tif 000004
【図３】
2014007593.tif 000005
【図４】
2014007593.tif 000006
【図５】
2014007593.tif 000007